(57)【要約】【課題】音叉状端子部を保護する端子保護部が設けられたバスバにおいて、小型でスペースを取らないバスバを提供する。【解決手段】バスバ１は、自動車用電気接続箱のフレーム内に収容されて該電気接続箱の配線部材として用いられるものであり、金属板にプレス加工等が施されて得られるものである。このバスバ１には、帯状の平板部２と、該平板部２の短手方向の一端２ａから突出した複数の音叉状端子部３及び複数の板状端子部４と、平板部２の長手方向の両端２ｃ，２ｄにおいて直角に折り曲げられるとともに音叉状端子部３と同一方向に突出した端子保護部５と、平板部２の短手方向の他端２ｂから突出した電線圧着部７と、が設けられている。端子保護部５は、バスバ１が異物と衝突した場合に、音叉状端子部３及び板状端子部４が前記異物に直接当たることを防止する。【選択図】図１
2014054004.tif 000002
【特許請求の範囲】
【請求項１】
金属板で構成され、平板部と、該平板部の短手方向一端から突出した音叉状端子部と、が設けられたバスバにおいて、
前記平板部の長手方向の少なくとも一方の端には、直角に折り曲げられるとともに前記音叉状端子部と同一方向に突出した端子保護部が設けられている
ことを特徴とするバスバ。
【請求項２】
前記平板部の短手方向他端から突出した電線圧着部がさらに設けられている
ことを特徴とする請求項１に記載のバスバ。
【発明の詳細な説明】
【技術分野】
【０００１】
本発明は、電気接続箱等の配線部材として用いられる金属性のバスバに関するものである。
【背景技術】
【０００２】
図３は、電気接続箱の配線部材として用いられている従来のバスバの斜視図である。このバスバ３０１は、金属板にプレス加工等が施されて得られるものであり、帯状の平板部３０２と、該平板部３０２の短手方向一端から突出した複数の音叉状端子部３０３及び複数の板状端子部３０４と、平板部３０２の長手方向両端から音叉状端子部３０３と同一方向に突出した端子保護部３０５と、平板部３０２の短手方向他端から突出した電線圧着部３０７と、が設けられている。また、端子保護部３０５には、電気接続箱のフレーム内に設けられたランスが係止する係止孔３０６が形成されている。
【０００３】
このようなバスバ３０１は、電線の端部を電線圧着部３０７により圧着した状態で電気接続箱のフレーム内に収容される。そして、前記フレームにリレーやヒューズなどの電子部品が装着されることにより、該電子部品の端子部と音叉状端子部３０３及び板状端子部３０４が電気接続される。また、端子保護部３０５は、電子部品と電気接続される部位ではなく、バスバ３０１がフレーム内に収容されるまでの間に異物と衝突した場合に、音叉状端子部３０３が変形又は破損することを防止するためのものである。
【先行技術文献】
【特許文献】
【０００４】
【特許文献１】特開２００５−１９２５９号公報
【発明の概要】
【発明が解決しようとする課題】
【０００５】
しかしながら、上述したバスバ３０１においては、端子保護部３０５、音叉状端子部３０３及び板状端子部３０４が横一列に配列されているので、これらの並び方向の寸法が大型化し、大きな収容スペースが必要になるという問題があった。
【０００６】
したがって、本発明は、音叉状端子部を保護する端子保護部が設けられたバスバにおいて、小型でスペースを取らないバスバを提供することを目的とする。
【課題を解決するための手段】
【０００７】
上記目的を達成するために請求項１に記載された発明は、金属板で構成され、平板部と、該平板部の短手方向一端から突出した音叉状端子部と、が設けられたバスバにおいて、前記平板部の長手方向の少なくとも一方の端には、直角に折り曲げられるとともに前記音叉状端子部と同一方向に突出した端子保護部が設けられていることを特徴とするバスバである。
【０００８】
請求項２に記載された発明は、請求項１に記載された発明において、前記平板部の短手方向他端から突出した電線圧着部がさらに設けられていることを特徴とするものである。
【発明の効果】
【０００９】
請求項１に記載された発明によれば、前記平板部の長手方向の少なくとも一方の端には、直角に折り曲げられるとともに前記音叉状端子部と同一方向に突出した端子保護部が設けられているので、端子保護部を折り曲げない場合と比較して、端子保護部の幅分、バスバの全長を短くすることができる。よって、小型でスペースを取らないバスバを提供することができる。
【００１０】
請求項２に記載された発明によれば、本バスバが電線の端部に接続された状態で持ち運ばれる場合でも、音叉状端子部が変形又は破損することを防止できる。
【図面の簡単な説明】
【００１１】
【図１】本発明の一実施形態にかかるバスバの斜視図である。
【図２】従来のバスバと図１に示された本発明のバスバの寸法差を説明する説明図である。
【図３】従来のバスバの斜視図である。
【発明を実施するための形態】
【００１２】
本発明の一実施形態にかかる「バスバ」を図１〜２を参照して説明する。図１に示すバスバ１は、自動車用電気接続箱のフレーム内に収容されて該電気接続箱の配線部材として用いられるものであり、金属板にプレス加工等が施されて得られるものである。
【００１３】
このバスバ１には、帯状の平板部２と、該平板部２の短手方向一端２ａから突出した複数の音叉状端子部３及び複数の板状端子部４と、平板部２の長手方向両端２ｃ，２ｄにおいて直角に折り曲げられるとともに音叉状端子部３と同一方向に突出した端子保護部５と、平板部２の短手方向他端２ｂから突出した電線圧着部７と、が設けられている。
【００１４】
上記音叉状端子部３は、互いの間に相手側端子部を挟む一対の挟持片３０を有する音叉状に形成されている。また、前記相手側端子部とは、電気接続箱のフレームに装着されるリレーやヒューズなどの電子部品の端子部である。この音叉状端子部３は、本実施形態では２つ設けられており、板状端子部４の両側に設けられている。
【００１５】
上記板状端子部４は、板状に形成されており、電気接続箱のフレームに装着される電子部品に電気接続される。この板状端子部４は、本実施形態では２つ設けられており、平板部２の中央に設けられている。
【００１６】
上記端子保護部５は、電子部品と電気接続される部位ではなく、バスバ１が電気接続箱のフレーム内に収容されるまでの間に異物と衝突した場合に、音叉状端子部３及び板状端子部４が変形又は破損することを防止するためのものである。また、端子保護部５には、電気接続箱のフレーム内に設けられたランスが係止する係止孔６が形成されている。
【００１７】
なお、音叉状端子部３は、変形又は破損し易い形状であることから、端子保護部５で保護する必要があるが、板状端子部４は、音叉状端子部３と比較して変形又は破損し難いので、必ずしも端子保護部５で保護する必要はない。すなわち、本実施形態のバスバ１は、音叉状端子部３が設けられているがゆえに端子保護部５が必要であるが、板状端子部４だけが設けられたバスバにおいては、端子保護部５が設けられていなくても良い。
【００１８】
上記電線圧着部７は、その表面に電線の端部を位置付ける載置板部７０と、載置板部７０の両端から立設し、前記電線の芯線を圧着する圧着片７１と、を有している。また、電線圧着部７と接続される電線は、大電流が流れる電源線である。
【００１９】
このようなバスバ１は、ワイヤハーネス組立工場において、電線圧着部７が電線の端部に接続され、電線の端部に接続された状態で自動車組立工場に運ばれる。このため、バスバ１が輸送中に異物と衝突する可能性が高いが、衝突した場合でも、端子保護部５が音叉状端子部３及び板状端子部４の外側に設けられているので、音叉状端子部３及び板状端子部４が前記異物に直接当たることを防止でき、これら音叉状端子部３及び板状端子部４が変形又は破損することを防止できる。また、自動車組立工場において、バスバ１は、前述したように電線の端部に接続された状態で電気接続箱のフレーム内に収容される。そして、前記フレームにリレーやヒューズなどの電子部品が装着されることにより、該電子部品の端子部と音叉状端子部３及び板状端子部４が電気接続される。
【００２０】
以上説明したように、本発明のバスバ１は、平板部２の長手方向両端２ｃ，２ｄにおいて端子保護部５が直角に折り曲げられているので、図２に示すように、端子保護部３０５を折り曲げていない従来のバスバ３０１と比較して、端子保護部５の幅Ｓ分、バスバ１の全長を短くすることができる。このように本発明のバスバ１は小型でスペースを取らないので、電気接続箱のフレームが大型化することを防止できる。
【００２１】
また、本実施形態のバスバ１は、平板部２の長手方向両端２ｃ，２ｄに端子保護部５が設けられていたが、本発明のバスバは、平板部２の長手方向の少なくとも一方の端に端子保護部５が設けられていれば良い。また、本実施形態のバスバ１には、電線圧着部７が設けられていたが、本発明のバスバには、電線圧着部７が必ずしも設けられていなくても良い。すなわち、本発明は、電線の端部に接続された状態で持ち運ばれるバスバに適用される場合に特に有効であるが、電線圧着部７が設けられていないバスバに適用された場合にも効果を奏する。また、本実施形態のバスバ１には、板状端子部４が設けられていたが、本発明のバスバには、板状端子部４が設けられていなくても良い。
【００２２】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００２３】
１  バスバ
２  平板部
３  音叉状端子部
５  端子保護部
７  電線圧着部
【図１】
2014054004.tif 000003
【図２】
2014054004.tif 000004
【図３】
2014054004.tif 000005